(57)【要約】  【構成】  ラジオ放送のようなオーディオコンテンツはＦＭチューナ３６から出力され、イベントの発生に応答した効果音はサウンドジェネレータ５２から出力される。ＣＰＵ２８は、カテゴリ１に属するイベントが発生したときラジオ放送の出力を許容し、カテゴリ２に属するイベントが発生したときオーディオコンテンツの出力を禁止する。カテゴリ１に属するイベントには、オープン／クローズ操作のようなオペレータの特定操作が含まれる。カテゴリ２に属するイベントには、電話着信のようなオペレータの操作と無関係に発生する非操作イベントが含まれる。したがって、オペレータ自身が特定操作を行ったときはオーディオコンテンツの出力が許容されるが、オペレータの操作と無関係な非操作イベントが発生したときはオーディオコンテンツの出力が禁止される。  【効果】  オーディオコンテンツの快適な鑑賞と、予見不可能なイベントの確実な通知とが両立される。  【選択図】  図２
2005109926.tif 000002
【特許請求の範囲】
【請求項１】
オーディオコンテンツを出力する第１出力手段、
イベントの発生に応答して効果音を出力する第２出力手段、および
第１カテゴリに属するイベントが発生したとき前記第１出力手段の出力を許容し、第２カテゴリに属するイベント発生したとき前記第１出力手段の出力を禁止する出力制御手段を備え、
前記第１カテゴリに属するイベントはオペレータによる第１操作を含み、
前記第２カテゴリに属するイベントは前記オペレータの操作と無関係に発生する非操作イベントを含む、オーディオコンテンツ出力装置。
【請求項２】
前記第１操作に応答して出力される効果音の候補として複数の効果音を記憶する記憶手段、および
前記複数の効果音のいずれか１つを前記第１操作に応答して出力させる効果音として確定させる確定手段をさらに備える、請求項１記載のオーディオコンテンツ出力装置。
【請求項３】
前記第２カテゴリに属するイベントは前記複数の効果音のうち任意の効果音の試行的出力を指示する試行操作を含み、
前記第２出力手段は前記試行操作に応答して前記任意の効果音を出力する、請求項２記載のオーディオコンテンツ出力装置。
【請求項４】
前記第２カテゴリに属するイベントは前記確定手段を有効化する確定操作を含み、
前記第２出力手段は前記確定操作に応答して確定通知音を出力する、請求項２または３記載のオーディオコンテンツ出力装置。
【請求項５】
被写体を撮影する撮影手段をさらに備え、
前記第２カテゴリに属するイベントは前記撮影手段に撮影を指示する撮影操作を含み、
前記第２出力手段は前記撮影操作に応答して擬似シャッタ音を出力する、請求項１ないし４のいずれかに記載のオーディオコンテンツ出力装置。
【請求項６】
外部と通信を行う通信手段をさらに備え、
前記非操作イベントは外部からの着信を含み、
前記第２出力手段は前記着信に応答して着信通知音を出力する、請求項１ないし５のいずれかに記載のオーディオコンテンツ出力装置。
【請求項７】
前記第１手段によって出力されるオーディオコンテンツと前記第２出力手段によって出力される効果音とを合成する合成手段をさらに備える、請求項１ないし６のいずれかに記載のオーディオコンテンツ出力装置。
【請求項８】
イヤフォンが接続される出力端子をさらに備え、
前記合成手段は合成結果を前記出力端子に与える、請求項８記載の通信端末。
【請求項９】
前記オーディオコンテンツはラジオ放送の番組である、請求項１ないし８のいずれかに記載の通信端末。
【発明の詳細な説明】
【技術分野】
【０００１】
この発明は、オーディオコンテンツ出力装置に関し、特にたとえば、イベントの発生に応答して効果音を発生させる、オーディオコンテンツ出力装置に関する。
【背景技術】
【０００２】
従来のこの種のオーディオコンテンツ出力装置の一例が、特許文献１に開示されている。この従来技術は、音楽データが再生されている状態で電話着信があったときに、音楽データの再生をフェードアウトさせ、着信音をフェードインさせようとするものである。かかるフェードアウトおよびフェードインによってレベルや音の内容の急激な変化が防止され、通信端末の使用者は音楽を快適に鑑賞することができる。
【特許文献１】特開２００２−１９９０５６号公報［Ｈ０４Ｍ １／００］
【発明の開示】
【発明が解決しようとする課題】
【０００３】
しかし、従来技術は、電話着信のようなオペレータ（ユーザ）が予見できないイベントが発生したときには有効であるが、オペレータ自身の操作に基づくイベントについても同様の処理を行ったのでは、音楽鑑賞の快適性を逆に阻害する可能性がある。たとえば、ダイヤル操作時には、キーを１回操作する毎にイベントが発生する。かかる場合にも、キー操作が行われる毎に音楽データの出力を中断したのでは、出力が間欠的となり、快適な鑑賞が妨げられてしまう。
【０００４】
それゆえに、この発明の主たる目的は、オーディオコンテンツを快適に鑑賞することができる、オーディオコンテンツ出力装置を提供することである。
【課題を解決するための手段】
【０００５】
請求項１に従うオーディオコンテンツ出力装置は、オーディオコンテンツを出力する第１出力手段、イベントの発生に応答して効果音を出力する第２出力手段、および第１カテゴリに属するイベントが発生したとき第１出力手段の出力を許容し、第２カテゴリに属するイベントが発生したとき第１出力手段の出力を禁止する出力制御手段を備え、第１カテゴリに属するイベントはオペレータによる第１操作を含み、第２カテゴリに属するイベントはオペレータの操作と無関係に発生する非操作イベントを含む。
【０００６】
オーディオコンテンツは第１出力手段によって出力され、イベントの発生に応答した効果音は第２出力手段によって出力される。出力制御手段は、第１カテゴリに属するイベントが発生したとき第１出力手段の出力を許容し、第２カテゴリに属するイベントが発生したとき第１出力手段の出力を禁止する。ここで、第１カテゴリに属するイベントには、オペレータによる第１操作が含まれる。また、第２カテゴリに属するイベントには、オペレータの操作と無関係に発生する非操作イベントが含まれる。
【０００７】
オペレータ自身が第１操作を行ったときはオーディオコンテンツの出力が許容されるが、オペレータの操作と無関係な非操作イベントが発生したときはオーディオコンテンツの出力が禁止される。つまり、オペレータの予見可能性が、オーディオコンテンツの出力の許容／禁止を区別する基準の１つとされる。これによって、オーディオコンテンツの快適な鑑賞と、予見不可能なイベントの確実な通知とが両立される。
【０００８】
請求項２に従うオーディオコンテンツ出力装置は、請求項１に従属し、第１操作に応答して出力される効果音の候補として複数の効果音を記憶する記憶手段、および複数の効果音のいずれか１つを第１操作に応答して出力させる効果音として確定させる確定手段をさらに備える。複数の効果音を準備することによって、実際に出力される効果音の選択の幅が拡大される。
【０００９】
請求項３に従うオーディオコンテンツ出力装置は、請求項２に従属し、第２カテゴリに属するイベントは複数の効果音のうち任意の効果音の試行的出力を指示する試行操作を含み、第２出力手段は試行操作に応答して任意の効果音を出力する。オペレータによって試行操作が行われると、任意の効果音が第２出力手段によって試行的に出力される。このとき、オーディオコンテンツの出力は禁止される。効果音を試行的に出力するときにオーディオコンテンツの出力を禁止することによって、効果音の正確な吟味が可能となる。
【００１０】
請求項４に従うオーディオコンテンツ出力装置は、請求項２または３に従属し、第２カテゴリに属するイベントは確定手段を有効化する確定操作を含み、第２出力手段は確定操作に応答して確定通知音を出力する。オペレータによって確定操作が行われると、確定通知音が第２出力手段によって出力される。このとき、オーディオコンテンツの出力は禁止される。これによって、効果音の確定を確実に通知することができる。
【００１１】
請求項５に従うオーディオコンテンツ出力装置は、請求項１ないし４のいずれかに従属し、被写体を撮影する撮影手段をさらに備え、第２カテゴリに属するイベントは撮影手段に撮影を指示する撮影操作を含み、第２出力手段は撮影操作に応答して擬似シャッタ音を出力する。オペレータによって撮影操作が行われると、擬似シャッタ音が第２出力手段によって出力される。このとき、オーディオコンテンツの出力は禁止される。これによって、撮影が行なわれたことを確実に通知することができる。
【００１２】
請求項６に従うオーディオコンテンツ出力装置は、請求項１ないし５のいずれか１つに従属し、外部と通信を行う通信手段をさらに備え、非操作イベントは外部からの着信を含み、第２出力手段は着信に応答して着信通知音を出力する。外部から着信があると、着信通知音が第２出力手段によって出力される。このとき、オーディオコンテンツの出力は禁止される。これによって、着信を確実に通知することができる。
【００１３】
請求項７に従うオーディオコンテンツ出力装置は、請求項１ないし６のいずれかに従属し、第１手段によって出力されるオーディオコンテンツと第２出力手段によって出力される効果音とを合成する合成手段をさらに備える。
【００１４】
請求項８に従うオーディオコンテンツ出力装置は、請求項８に従属し、イヤフォンが接続される出力端子をさらに備え、合成手段は合成結果を出力端子に与える。
【００１５】
請求項９に従うオーディオコンテンツ出力装置は、請求項１ないし８のいずれかに従属し、オーディオコンテンツはラジオ放送の番組である。
【発明の効果】
【００１６】
この発明によれば、オペレータ自身が第１操作を行ったときはオーディオコンテンツの出力が許容されるが、オペレータの操作と無関係な非操作イベントが発生したときはオーディオコンテンツの出力が禁止される。つまり、オペレータの予見可能性が、オーディオコンテンツの出力の許容／禁止を区別する基準の１つとされる。これによって、オーディオコンテンツの快適な鑑賞と、予見不可能なイベントの確実な通知とが両立される。
【００１７】
この発明の上述の目的，その他の目的，特徴および利点は、図面を参照して行う以下の実施例の詳細な説明から一層明らかとなろう。
【発明を実施するための最良の形態】
【００１８】
図１を参照して、この実施例の移動通信システムは、携帯通信端末２００と無線通信を行う複数のＢＳ（Base Station）１００，１００，…を含む。移動通信基地局１００はＭＬＳ（Mobile Local Switch）４００と接続され、ＭＬＳ４００はＭＧＳ（Mobile Gateway Switch）３００を介して他のＭＬＳ４００と接続される。携帯通信端末２００同士での電話のやり取り、つまり音声データの通信は、ＢＳ１００，ＭＬＳ４００およびＭＧＳ３００を介して行われる。
【００１９】
ＭＬＳ４００はまた、ＰＰＭ（Packet Processing Module）５００を介してバックボーンネットワーク６００と接続され、バックボーンネットワーク６００にはサーバ７００が接続される。サーバ７００は、インターネット８００にも接続される。
【００２０】
携帯通信端末２００からパケットデータが発信されたとき、このパケットデータは、ＢＳ１００，ＭＬＳ４００，ＰＰＭ５００およびバックボーンネットワーク６００を介してサーバ７００に与えられる。転送されたパケットデータが他の携帯通信端末２００宛のメールであれば、サーバ７００は、このパケットデータをバックボーンネットワーク６００，ＰＰＭ５００，ＭＬＳ４００，ＢＳ１００を介して宛先の携帯通信端末２００に送信する。一方、転送されたパケットデータがＷＥＢサイト９００へのアクセス要求であれば、サーバ７００は、インターネット８００を介してＷＥＢサイト９００にアクセスし、アクセス先から取得したパケットデータを要求元の携帯通信端末２００に返送する。このときも、パケットデータは、バックボーンネットワーク６００，ＰＰＭ５００，ＭＬＳ４００，ＢＳ１００を介して要求元の携帯通信端末２００に転送される。なお、パケットデータの通信は、４３０ＭＨｚ帯を用いて行われる。
【００２１】
携帯通信端末２００は、具体的には図２に示すように構成される。キー入力装置３０によって通話のための発信操作が行われると、ＣＰＵ２８は、信号処理回路１６，無線回路１４およびアンテナ１２を通して発呼信号を相手方の携帯通信端末２００に送信する。この発呼信号を受けて相手方がオフフック操作を行うと、通話可能状態となる。
【００２２】
通話可能状態となった後にマイクロホン２２に音声が入力されると、この音声は、マイクロホン２２によってアナログ信号である音声信号に変換される。変換された音声信号は、アンプ２０によって増幅され、ＡＤ／ＤＡ変換回路１８によってディジタル信号である音声データに変換される。変換された音声データは、信号処理回路１６によって符号化処理を施され、さらに無線回路１４によって変調処理を施される。無線回路１４によって生成された変調音声データは、アンテナ１２から発信される。
【００２３】
一方、相手方から送られてきた変調音声データは、アンテナ１２によって受信され、無線回路１４によって復調処理を施されるとともに、信号処理１６によって復号処理を施される。信号処理回路１６によって復号された音声データは、ＡＤ／ＤＡ変換回路１８によってアナログ信号である音声信号に変換され、アンプ２４によって増幅される。イヤフォンジャック３８に図３に示すステレオイヤフォン６０または図４に示すモノラルイヤフォン７０が装着されていないときは、スイッチＳＷ１は端子Ｓ１と接続される。したがって、増幅された音声信号は、ミキサ５４およびスイッチＳＷ１を介してスピーカ２６から出力される。一方、イヤフォンジャック３８にステレオイヤフォン６０またはモノラルイヤフォン７０が装着されていないときは、スイッチＳＷ１は端子Ｓ２と接続される。したがって、増幅された音声信号は、ミキサ５８およびスイッチＳＷ１を介してミキサ４６および４８に与えられ、その後イヤフォンジャック３８からステレオイヤフォン６０またはモノラルイヤフォン７０に出力される。なお、イヤフォンジャック３８，ステレオイヤフォン６０およびモノラルイヤフォン７０については、後段で詳しく説明する。
【００２４】
このようにして相手方との間で通話が行われている最中に、キー入力装置３０によってオンフック操作が行われると、ＣＰＵ２８は、信号処理回路１６および無線回路１４を制御して、相手方に通話終了信号を送信する。通話終了信号の送信後、ＣＰＵ２８は、通話処理を終了する。先に相手方から通話終了信号を受信した場合も、ＣＰＵ２８は、通話処理を終了する。
【００２５】
図１に示すサーバ７００からメールが送信されると、このメールは、アンテナ１２，無線回路１４および信号処理回路１６を介してＣＰＵ２８に入力される。ＣＰＵ２８は、受信したメールをフラッシュメモリ３２に保存する。また、オペレータによってメールが作成されかつ送信操作が行われると、このメールは、信号処理回路１６，無線回路１４およびアンテナ１２を通してサーバ７００に送信される。
【００２６】
オペレータによって撮影操作が行われると、カメラ装置４０によって被写体が撮影され、被写体の画像データがフラッシュメモリ３２に記録される。
【００２７】
キー入力装置３０による上述の操作や、電話着信，メール着信などのイベントが発生すると、ＣＰＵ２８は、対応する効果音信号の出力をサウンドジェネレータ５２に命令する。サウンドジェネレータ５２は、命令に従う効果音信号をメモリＭから読み出し、読み出した効果音信号をミキサ５４に与える。したがって、スイッチＳＷ１が端子Ｓ１と接続されているときは、効果音信号はスピーカ２６から出力される。一方、スイッチＳＷ１が端子Ｓ２と接続されているときは、効果音信号は、ミキサ４６および４８を介して、イヤフォンジャック３８からステレオイヤフォン６０またはモノラルイヤフォン７０に出力される。なお、この実施例の携帯通信端末２００は折りたたみ型の端末であり、オープン／クローズ操作はセンサ５０によって検知される。このオープン／クローズ操作もまたイベントの１つであり、サウンドジェネレータ５２は、このイベントにも応答して効果音信号を出力する。
【００２８】
携帯通信端末２００はさらに、図１に示すＦＭラジオ局１０００，１０００…によって７６ＭＨｚ〜９０ＭＨｚの帯域を利用して放送されるＦＭラジオ信号を受信する機能を有する。ステレオイヤフォン６０またはモノラルイヤフォン７０がイヤフォンジャック３８に装着されると、ＦＭラジオ信号は、ステレオイヤフォン６０またはモノラルイヤフォン７０とイヤフォンジャック３８とを介してＦＭチューナ３６に入力される。
【００２９】
図３を参照して、ステレオイヤフォン６０は、ＦＭラジオ信号を捉えるアンテナ線ＡＴＬ１およびＡＴＬ２と、ステレオ音声信号を形成するＬチャネル音声信号をスピーカ６２に伝送する信号線ＳＬ１と、ステレオ音声信号を形成するＲチャネル音声信号をスピーカ６４に伝送する信号線ＳＬ２とを有する。また、プラグ６６には、端子Ｔ１１〜Ｔ１６が設けられる。アンテナ線ＡＴＬ１およびＡＴＬ２は端子Ｔ１４に接続され、信号線ＳＬ１およびＳＬ２は端子Ｔ１３およびＴ１５にそれぞれ接続される。端子Ｔ１１およびＴ１２は基準電位面と接続され、端子Ｔ１６は開放される。プラグ６６がイヤフォンジャック３８に装着されると、端子Ｔ１１〜Ｔ１６がイヤフォンジャック３８を形成する端子Ｔ１〜Ｔ６にそれぞれ接続される。
【００３０】
図４を参照して、モノラルイヤフォン７０は、放送電波を捉えるアンテナ線ＡＴＬ３と、モノラル音声信号をスピーカ７２に伝送する信号線ＳＬ３とを有する。プラグ７４には、端子Ｔ２１〜Ｔ２６が設けられる。アンテナ線ＡＴＬ３は端子Ｔ２４に接続され、信号線ＳＬ３は端子Ｔ２３に接続される。端子Ｔ２１は基準電位面と接続され、端子Ｔ２２，Ｔ２５およびＴ２６は開放される。プラグ７４がイヤフォンジャック３８に装着されると、端子Ｔ２１〜Ｔ２６が端子Ｔ１〜Ｔ６にそれぞれ接続される。
【００３１】
図２に戻って、イヤフォンジャック３８に設けられた端子Ｔ１およびＴ２は、それぞれ電圧線ＶＬ１およびＶＬ２を介してＣＰＵ２８と接続される。電圧線ＶＬ１には抵抗Ｒ１を介してバイアス電圧が印加され、電圧線ＶＬ２には抵抗Ｒ２を介してバイアス電圧が印加される。したがって、ステレオイヤフォン６０およびモノラルイヤフォン７０のいずれも装着されていないときは、いずれもがＨレベルを有する電圧が、電圧線ＶＬ１およびＶＬ２を経てＣＰＵ２８にそれぞれ供給される。ステレオイヤフォン６０が装着されたときは、いずれもがＬレベルを有する電圧が、電圧線ＶＬ１およびＶＬ２を経てＣＰＵ２８にそれぞれ供給される。モノラルイヤフォン７０が装着されたときは、Ｌレベルの電圧が電圧線ＶＬ１を経てＣＰＵ２８に供給され、Ｈレベルの電圧が電圧線ＶＬ２を経てＣＰＵ２８に供給される。したがって、ＣＰＵ２８は、電圧線ＶＬ１およびＶＬ２に印加された電圧のレベルに基づいて、イヤフォンジャック３８の状態を認識することができる。
【００３２】
ステレオイヤフォン７０が装着されかつキー入力装置３０によってラジオ機能のオン操作が行われると、ＣＰＵ２８は、ＦＭチューナ３６を起動し、かつ所望のチャネルのチューニングおよびステレオ音声信号の出力をＦＭチューナ３６に命令する。図３に示すアンテナ線ＡＴＮ１およびＡＴＮ２によって捉えられたＦＭラジオ信号は、プラグ６６の端子Ｔ１４およびイヤフォンジャック３８の端子Ｔ４を経てＦＭチューナ３６に入力され、チューニングやステレオ音声変換などの信号処理を施される。これによって、所望のＦＭラジオ放送のステレオ音声信号が生成される。ステレオ音声信号を形成するＬチャネル音声信号は、アンプ４２，ミキサ４６，端子Ｔ３および端子Ｔ１３を介してスピーカ６２に与えられ、ステレオ音声信号を形成するＲチャネル音声信号は、アンプ４４，ミキサ４８，端子Ｔ５および端子Ｔ１５を介してスピーカ６４に与えられる。
【００３３】
モノラルイヤフォン７０が装着された状態でキー入力装置３０によってラジオ放送受信操作が行われた場合、ＣＰＵ２８は、ＦＭチューナ３６を起動し、かつ所望のチャネルのチューニングおよびモノラル音声信号の出力をＦＭチューナ３６に命令する。図４に示すアンテナ線ＡＴＮ３によって捉えられたＦＭラジオ放送信号は、プラグ７４の端子Ｔ２４およびイヤフォンジャック３８の端子Ｔ４を経てＦＭチューナ３６に入力され、チューニングやモノラル音声変換などの信号処理を施される。これによって、所望のＦＭラジオ放送のモノラル音声信号が生成される。生成されたモノラル音声信号は、アンプ４２，ミキサ４６，端子Ｔ４および端子Ｔ２４を介してスピーカ７２に与えられる。
【００３４】
ＣＰＵ２８は、ステレオイヤフォン６０またはモノラルイヤフォン７０からラジオ放送が出力されているとき、図６に示す音声制御タスク，図７〜図８に示す効果音変更タスク，図９〜図１０に示す電話送受信タスク，図１１に示すオープン／クローズ検出タスク，図１２に示すメール着信検出タスク，ならびに図１３に示す撮影タスクを実行する。つまり、ＣＰＵ２８はμＩＴＲＯＮのようなマルチタスクＯＳを搭載したマルチタスクＣＰＵであり、これらのタスクを並列的に実行する。なお、これらのタスクは、フラッシュメモリに記憶される。
【００３５】
まず図６を参照して、ステップＳ１では別のタスクから効果音出力命令が発行されたか否かを判別し、ＹＥＳであればステップＳ３に進む。効果音出力命令は、ラジオ放送の音声をミュートすべきかどうかを識別するためのミュート識別子と、効果音の内容を識別するための内容識別子とを含む。ステップＳ３では、ミュート識別子が“ミュート必要”および“ミュート不要”のいずれを示しているかを判別する。
【００３６】
ミュート識別子が“ミュート不要”を示していれば、ステップＳ３でＮＯと判断し、内容識別子に従う効果音信号の出力をサウンドジェネレータ５２に命令する。効果音信号はミキサ４６または４８によってラジオ放送の音声信号に多重され、ステレオイヤフォン６０またはモノラルイヤフォン７０からはラジオ放送の音声および効果音の両方が出力される。効果音の出力が完了すると、ステップＳ１９でＹＥＳと判断し、ステップＳ１に戻る。
【００３７】
識別子が“ミュート必要”を示していれば、ステップＳ３でＹＥＳと判断し、ステップＳ５でアンプ４２および４４の増幅率を“０”に設定するとともに、ステップＳ７で内容識別子に従う効果音信号の出力をサウンドジェネレータ５２に命令する。これによって、効果音のみがステレオイヤフォン６０またはモノラルイヤフォン７０から出力される。別のタスクから効果音中止命令が発行されると、ステップＳ９でＹＥＳと判断し、ステップＳ１１で効果音信号の出力の中止をサウンドジェネレータ５２に命令する。別のタスクから復帰命令が発行されると、ステップＳ１３でＹＥＳと判断し、ステップＳ１５でアンプ４２および４４の増幅率を段階的に元の数値に戻す。これによって、ステレオイヤフォン６０またはモノラルイヤフォン７０から出力されるラジオ放送の音声が徐々に大きくなる。ステップＳ１５の処理が完了すると、ステップＳ１に戻る。
【００３８】
図７〜図８を参照して、ステップＳ２１ではキー入力装置３０によるメニュー表示操作の有無を判別する。ここでＹＥＳであればステップＳ２３に進み、“ミュート不要”を示すミュート識別子と“キー操作音”を示す内容識別子とを含む効果音出力命令を発行する。図６に示す音声出力制御タスクではステップＳ１７の処理が実行され、これによってラジオ放送の音声とキー操作音とがステレオイヤフォン６０またはモノラルイヤフォン７０から出力される。
【００３９】
ステップＳ２５では、図５に示す効果音メニュー画面をＬＣＤモニタ３４に表示する。この画面は、オープン／クローズ操作に応答した効果音を選択するための画面である。図５によれば、“オルゴール”，“ハープ”および“鳥のさえずり”の３つのメニュー項目が画面中央に表示され、カーソルＣＳＲがいずれか１つのメニュー項目を指向する。画面下側には、“試行”と記述されたアイコンＩＣＮ１と“確定”と記述されたアイコンＩＣＮ２とが表示される。なお、“オルゴール”，“ハープ”および“鳥のさえずり”の効果音信号は、メモリＭに記憶されている。
【００４０】
ステップＳ２７では試行再生操作の有無を判別し、ステップＳ３３では確定操作の有無を判別し、そしてステップＳ４３ではカーソル移動操作の有無を判別する。キー入力装置３０によってアイコンＩＣＮ１がクリックされるとステップＳ２７からステップＳ２９に進み、キー入力装置３０によってカーソルＣＳＲの移動させる操作が行われるとステップＳ３７からステップＳ３９に進み、そしてキー入力装置３０によってアイコンＩＣＮ２がクリックされるとステップＳ４３からステップＳ４５に進む。
【００４１】
ステップＳ２９では、“ミュート必要”のミュート識別子と“オープン／クローズ操作音”の内容識別子とを含む効果音出力命令を発行する。図６に示す音声出力制御タスクでは、ステップＳ５およびＳ７の処理が実行される。特にステップＳ７では、カーソルＣＳＲが現時点で指向するメニュー項目が特定され、特定されたメニュー項目の効果音信号の出力がサウンドジェネレータ５２に命令される。これによって、この効果音信号のみがステレオイヤフォン６０またはモノラルイヤフォン７０から試行的に出力される。
【００４２】
キー入力装置３０によって再生中止操作が行われると、ステップＳ３１でＹＥＳと判断し、ステップＳ３３およびＳ３５で効果音中止命令および復帰命令をそれぞれ発行する。これによって図６に示すステップＳ９〜Ｓ１５の処理が実行され、ラジオ放送の音声がステレオイヤフォン６０またはモノラルイヤフォン７０から再度出力される。ステップＳ３５の処理が完了すると、ステップＳ２７に戻る。
【００４３】
ステップＳ３９では、“ミュート不要”のミュート識別子と“キー操作音”の内容識別子とを含む効果音出力命令を発行する。このため、図６に示す音声出力制御タスクではステップＳ１７の処理が実行され、ラジオ放送の音声とキー操作音とがステレオイヤフォン６０またはモノラルイヤフォン７０から出力される。ステップＳ４１では画面上のカーソルＣＳＲを所望の方向に移動させ、移動処理が完了するとステップＳ２７に戻る。
【００４４】
ステップＳ４５では、“ミュート必要”のミュート識別子と“確定通知音”の内容識別子とを含む効果音出力命令を発行する。図６に示す音声出力制御タスクではステップＳ５およびＳ７の処理が実行され、確定通知音のみがステレオイヤフォン６０またはモノラルイヤフォン７０から出力される。ステップＳ４７では、カーソルＣＳＲが指向する項目をオープン／クローズ操作に応答して出力すべき効果音として確定させ、ステップＳ４９では確定通知音の出力に要する期間だけ待機する。続くステップＳ５１およびＳ５３では、効果音中止命令および復帰命令をそれぞれ発行する。ステレオイヤフォン６０またはモノラルイヤフォン７０からは、図６に示すステップＳ９〜Ｓ１５の処理によってラジオ放送の音声が再度出力される。ステップＳ５５ではメニュー画面を消去し、その後ステップＳ２１に戻る。
【００４５】
図９を参照して、ステップＳ６１ではキー入力装置３０によるダイヤル操作の有無を判別し、ＹＥＳであれば、ステップＳ６３で“ミュート不要”のミュート識別子と“キー操作音”の内容識別子とを含む効果音出力命令を発行する。このため、図６に示す音声出力制御タスクではステップＳ１７の処理が実行され、ラジオ放送の音声とキー操作音とがステレオイヤフォン６０またはモノラルイヤフォン７０から出力される。ステップＳ６５では、入力された番号をＬＣＤモニタ３４に表示する。ステップＳ６７ではキー入力装置３０によって発信操作が行われたかどうかを判断し、ステップＳ７５では電話着信があったかどうかを判断する。
【００４６】
発信操作が行われたときはステップＳ６９に進み、“ミュート必要”のミュート識別子と“呼び出し音”の内容識別子とを含む効果音出力命令を発行する。図６に示す音声出力制御タスクではステップＳ５およびＳ７の処理が実行され、呼び出し音のみがステレオイヤフォン６０またはモノラルイヤフォン７０から出力される。ステップＳ７１では発信処理を行い、これによって相手方との接続が確立されるとステップＳ７３からステップＳ８１に進む。
【００４７】
電話着信があったときはステップＳ７７に進み、“ミュート必要”のミュート識別子と“電話着信音”の内容識別子とを含む効果音出力命令を発行する。図６に示す音声出力制御タスクではステップＳ５およびＳ７の処理が実行され、電話着信音のみがステレオイヤフォン６０またはモノラルイヤフォン７０から出力される。キー入力装置３０によってオフフック操作が行われると、ステップＳ７９からステップＳ８１に進む。
【００４８】
ステップＳ８１では効果音中止命令を発行し、ステップＳ８３では通話処理を実行する。ステップＳ８５ではキー入力装置３０によるオンフック操作の有無を判別し、ＮＯであればステップＳ８３に戻るが、ＹＥＳであればステップＳ８７で復帰命令を発行する。ステップＳ８１およびＳ８７の処理によって、図６に示すステップＳ９〜Ｓ１５の処理が実行される。この結果、ラジオ放送の音声が徐々に大きくなる。ステップＳ８７の処理が完了すると、ステップＳ６１に戻る。
【００４９】
図１１を参照して、ステップＳ９１ではオープン操作またはクローズ操作が行われたかどうかを判別する。ＹＥＳであればステップＳ９３に進み、“ミュート不要”のミュート識別子と“オープン／クローズ操作音”の内容識別子とを含む効果音出力命令を発行する。図６に示す音声出力制御タスクでは、ステップＳ１７の処理が実行される。これによって、ラジオ放送の音声とオープン／クローズ操作音とが、ステレオイヤフォン６０またはモノラルイヤフォン７０から出力される。ステップＳ９３の処理が完了すると、ステップＳ９１に戻る。
【００５０】
図１２を参照して、ステップＳ１０１ではメール着信通知の有無を判断する。ここでＹＥＳであればステップＳ１０３に進み、“ミュート必要”のミュート識別子と“メール着信音”の内容識別子とを含む効果音出力命令を発行する。図６に示す音声出力制御タスクではステップＳ５およびＳ７の処理が実行され、メール着信音のみがステレオイヤフォン６０またはモノラルイヤフォン７０から出力される。ステップＳ１０５ではメール受信処理を実行し、続くステップＳ１０７およびＳ１０９では効果音中止命令および復帰命令をそれぞれ発行する。これによって図６に示すステップＳ９〜Ｓ１５の処理が実行され、ラジオ放送の音声が徐々に大きくなる。ステップＳ１０９の処理が完了すると、ステップＳ１０１に戻る。
【００５１】
図１３を参照して、ステップＳ１１１ではキー入力装置３０による撮影操作の有無を判断し、ＹＥＳであればステップＳ１１３で効果音出力命令を発行する。この命令には、“ミュート必要”のミュート識別子と“擬似シャッタ音”の内容識別子とが含まれる。このため、図６に示す音声出力制御タスクではステップＳ５およびＳ７の処理が実行され、擬似シャッタ音のみがステレオイヤフォン６０またはモノラルイヤフォン７０から出力される。ステップＳ１１５では撮影処理を実行し、ステップＳ１１７およびＳ１１９では効果音中止命令および復帰命令をそれぞれ発行する。これによって図６に示すステップＳ９〜Ｓ１５の処理が実行され、ラジオ放送の音声が徐々に大きくなる。ステップＳ１１９の処理が完了すると、ステップＳ１１１に戻る。
【００５２】
【表１】
2005109926.tif 000003
【００５３】
表１を参照して、上述のイベントのうち、キー操作，オープン／クローズ操作はカテゴリ１に属し、メール着信，電話着信，電話発信操作，撮影操作，効果音の確定操作および効果音の試行再生操作はカテゴリ２に属する。そして、カテゴリ１に属するイベントの効果音を出力するときはラジオ放送のミュートは不要であるが、カテゴリ２に属するイベントの効果音を出力するときはラジオ放送のミュートが必要となる。
【００５４】
このような処理が実行されることで、ラジオ放送の音声レベルおよび各種イベントに応答して出力される効果音のレベルは、図１４に示す要領で変化する。つまり、メール着信があると、ラジオ放送の音声レベルが急峻に低下し、代わりにメール着信音が出力される。メール着信音の出力が完了すると、ラジオ放送の音声レベルが徐々に復帰する。キー操作が行われたときは、ラジオ放送の音声レベルは変化せず、この音声にキー操作音が多重される。電話着信があると、ラジオ放送の音声レベルが低下し、代わりに電話着信音が出力される。通話は、オフフック操作によって開始され、オンフック操作によって終了する。通話が終了すると、ラジオ放送の音声レベルが徐々に元に戻る。クローズ操作が行われたときは、ラジオ放送の音声レベルは変化せず、この音声にオープン／クローズ操作音が多重される。
【００５５】
以上の説明から分かるように、ラジオ放送のようなオーディオコンテンツはＦＭチューナ３６から出力され、イベントの発生に応答した効果音はサウンドジェネレータ５２から出力される。ＣＰＵ２８は、表１のカテゴリ１に属するイベントが発生したときラジオ放送の出力を許容し、表１のカテゴリ２に属するイベントが発生したときオーディオコンテンツの出力を禁止する。ここで、カテゴリ１に属するイベントには、オープン／クローズ操作のようなオペレータの特定操作が含まれる。また、カテゴリ２に属するイベントには、電話着信のようなオペレータの操作と無関係に発生する非操作イベントが含まれる。
【００５６】
したがって、オペレータ自身が特定操作を行ったときはオーディオコンテンツの出力が許容されるが、オペレータの操作と無関係な非操作イベントが発生したときはオーディオコンテンツの出力が禁止される。つまり、オペレータの予見可能性を基準として、オーディオコンテンツの出力の許容／禁止が区別される。これによって、オーディオコンテンツの快適な鑑賞と、予見不可能なイベントの確実な通知とが両立される。
【００５７】
また、キャラクタジェネレータ５２が有するメモリＭには、オープン／クローズ操作音の候補として、“オルゴール”，“ハープ”および“鳥のさえずり”が記憶される。オペレータによって行われる試行再生操作は、第２カテゴリに属する。したがって、試行再生操作が行われると、いずれか１つの候補がサウンドジェネレータ５２から出力され、オーディオコンテンツの出力が禁止される。これによって、試行的に出力されたオープン／クローズ操作音の正確な吟味が可能となる。
【００５８】
また、オペレータによって行われる効果音の確定操作も、カテゴリ２に属する。したがって、確定操作が行われると、オープン／クローズ操作音が確定するとともに、確定通知音がサウンドジェネレータ５２から出力される。このとき、オーディオコンテンツの出力は禁止される。これによって、オペレータは効果音の確定を確実に認識することができる。
【００５９】
オペレータによって行われる撮影操作も、カテゴリ２に属する。したがって、撮影操作が行われると、カメラ装置４０によって被写体が撮影されるとともに、擬似シャッタ音がサウンドジェネレータ５２から出力される。このとき、オーディオコンテンツの出力は禁止される。したがって、オペレータは撮影が行なわれたことを確実に認識できる。
【００６０】
なお、この実施例では、ラジオ放送の受信機能を有する携帯通信端末を用いて説明したが、この発明は、テレビジョン放送を受信する機能を有する携帯通信端末にも適用できる。
【図面の簡単な説明】
【００６１】
【図１】この発明の一実施例の構成を示す図解図である。
【図２】図１実施例に適用される通信端末の構成の一例を示すブロック図である。
【図３】図２実施例の通信端末に装着されるステレオイヤフォンの一例を示すブロック図である。
【図４】図２実施例の通信端末に装着されるモノラルイヤフォンの一例を示すブロック図である。
【図５】図２実施例のＬＣＤ画面に表示されるメニュー表示画面の一例を示す図解図である。
【図６】図２実施例の動作の一部を示すフロー図である。
【図７】図２実施例の動作の他の一部を示すフロー図である。
【図８】図２実施例の動作のその他の一部を示すフロー図である。
【図９】図２実施例の動作のさらにその他の一部を示すフロー図である。
【図１０】図２実施例の動作の他の一部を示すフロー図である。
【図１１】図２実施例の動作のその他の一部を示すフロー図である。
【図１２】図２実施例の動作のさらにその他の一部を示すフロー図である。
【図１３】図２実施例の動作の他の一部を示すフロー図である。
【図１４】図２実施例の動作の一部を示す図解図である。
【符号の説明】
【００６２】
１４  …無線回路
１６  …信号処理回路
２８  …ＣＰＵ
３０  …キー入力装置
３２  …フラッシュメモリ
３４  …ＬＣＤ
３６  …ＦＭチューナ
３８  …イヤフォンジャック
４２，４６  …アンプ
４４，４８  …ミキサ
２００  …  携帯通信端末
【図１】
2005109926.tif 000004
【図２】
2005109926.tif 000005
【図３】
2005109926.tif 000006
【図４】
2005109926.tif 000007
【図５】
2005109926.tif 000008
【図６】
2005109926.tif 000009
【図７】
2005109926.tif 000010
【図８】
2005109926.tif 000011
【図９】
2005109926.tif 000012
【図１０】
2005109926.tif 000013
【図１１】
2005109926.tif 000014
【図１２】
2005109926.tif 000015
【図１３】
2005109926.tif 000016
【図１４】
2005109926.tif 000017